(57)【特許請求の範囲】
【請求項１】
外装ケースと、
前記外装ケースの内部に収容する収容物と、
を備え、
前記収容物は、パネルであり、
前記外装ケースは、前記外装ケースの一部を前記収容物と接合して前記収容物の一部を構成し、
前記外装ケースの一部は、前記パネルを支持する支持部であること
を特徴とする収容ケース。
【請求項２】
請求項１に記載の収容ケースにおいて、
前記外装ケースは、前記外装ケースの一部を前記収容物と共に取り外す取り外し線を有すること
を特徴とする収容ケース。
【発明の詳細な説明】
【技術分野】
【０００１】
本発明は、収容物を収容する収容ケースに関するものである。
【背景技術】
【０００２】
従来、収容物の運搬に使用した収容ケースを、廃棄せずに再利用する試みがなされている。例えば、使用済の段ボール箱を、工作キットとして再利用することができる変形機能付き段ボール箱が開示されている（例えば、特許文献１参照）。
【特許文献１】特開２００６−３４１９０９号公報
【発明の開示】
【発明が解決しようとする課題】
【０００３】
しかしながら、特許文献１に記載の発明は、段ボール箱自体を、収容物の運搬のために使用し、段ボール箱としての機能を終えた運搬後の段ボール箱そのものを再利用するものであった。そのため、段ボール箱自体は、運搬専用に用いられるものであった。
【０００４】
本発明は、収容物を運搬して収容ケースの機能を発揮しつつ、運搬以外の目的でも使用する収容ケースを提供することを目的とする。
【課題を解決するための手段】
【０００５】
本発明は、以下のような解決手段により、前記課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
請求項１の発明は、外装ケース（１）と、前記外装ケースの内部に収容する収容物（２）と、を備え、前記収容物（２）は、パネルであり、前記外装ケースは、前記外装ケースの一部（１１Ａ）を前記収容物と接合して前記収容物の一部を構成し、前記外装ケース（１）の一部（１１Ａ）は、前記パネルを支持する支持部であることを特徴とする収容ケース（１００）である。
【０００７】
請求項２の発明は、請求項１に記載の収容ケース（１００）において、前記外装ケース（１）は、前記外装ケースの一部（１１Ａ）を前記収容物（２）と共に取り外す取り外し線（３５）を有することを特徴とする収容ケースである。
【発明の効果】
【０００８】
本発明によれば、以下の効果を奏することができる。
（１）本発明は、収容物を内部に収容する外装ケースの一部が、収容物の一部を構成するので、収容物を、外装ケースの一部を用いて構成することができる。よって、収容物を運搬するのみならず、収容物として使用するという複数の目的を達成する収容ケースを提供することができる。本発明により、収容ケースの更なる有効活用を行うことができる。
（２）本発明は、外装ケースの一部が、パネル等の収容物を支持するので、外装ケースの一部がパネルの支持部を担う。よって、パネルを、外装ケースの一部によって支えることができる。
（３）本発明は、外装ケースが、取り外し線を有するので、収容物を取り出す際に、取り外し線から取り外すことができる。よって、外装ケースの一部を取り外し線により簡易に取り外すことができる。
【発明を実施するための最良の形態】
【０００９】
（実施形態）
以下、本発明を実施するための最良の形態について図を参照しながら説明する。なお、これはあくまでも一例であって、本発明の技術的範囲はこれに限られるものではない。
図１は、本実施形態に係る収容ケース１００からパネル２を取り外す状態を説明する図である。
【００１０】
図１に示すように、収容ケース１００は、段ボール箱である外装ケース１と、外装ケース１の内部に収容するパネル２とを備える。外装ケース１は、外装ケース１の一部である支持部１１Ａがパネル２に接合されている。パネル２は、支持部１１Ａを含むので、外装ケース１の一部が、パネル２の一部を構成する。
図１（ａ）は、パネル２が外装ケース１に収容された状態の収容ケース１００を示す。まず、Ａ方向に最上面のフラップを開き、次に、最上面のフラップを開いたことで露出したフラップをＢ方向に開くことで、図１（ｂ）に示す状態となる。
図１（ｂ）の状態で、パネル２をＣ方向に引っ張って取り出すと、図１（ｃ）に示すように、パネル２が、外装ケース１から取り外された状態になる。外装ケース１は、支持部１１Ａが形成されていた場所に孔があく。
【００１１】
次に、外装ケース１について説明する。図２は、本実施形態に係る外装ケース１の展開図を示す。
外装ケース１は、奴式（たとう式）のケースであり、支持部１１Ａと残り部分１１Ｂからなる底面部１１を中心として、左右上下に側面部を備え、その外側にフラップ部を備える。底面部１１を中心として左右には、左右側面部１２を備え、さらにその外部に左右フラップ１５を備える。底面部１１を中心として上下には、上下側面部１３を備え、さらにその外部に上下フラップ１６を備える。
【００１２】
左右側面部１２及び上下側面部１３は、パネル２が収容できる程度の厚さを有する。左右フラップ１５は、各々底面部１１の半分の面積を有し、左右フラップを合わせて底面部１１と同じ大きさとなることで、パネル２を収容するための蓋を構成し、外装ケース１として、箱形状を形成する。
支持部１１Ａと残り部分１１Ｂとは、切れ目線３５により切り分けられる。切れ目線３５は、ミシン目であり、支持部１１Ａに外部から圧力をかけることで、支持部１１Ａを簡単に取り外せるように構成される。
支持部１１Ａは、中央部３１Ａと、中央部３１Ａを挟んで左右に側面部３１Ｂとを有する。中央部３１Ａと側面部３１Ｂとの間には、折れ線３２を有し、側面部３１Ｂを折れ線３２に沿って折り返すことができる。また、支持部１１Ａの中央部には、スリット３３を有するフラップ３６を備える。フラップ３６は、その上部と略円弧状に形成された部分に切れ目線３７を有する。フラップ３６は、切れ目線３７によりその上部と略円弧状に形成された部分を切り取られ、折れ線３４を内側にして折り曲げることができる。
【００１３】
次に、パネル２について説明する。図３は、本実施形態に係るパネル２を示す図である。パネル２は、外装ケース１に入る程度の大きさの厚紙でできたパネルである。この図では、パネル２は、女性の上半身をかたどったものである。なお、パネルの表面には絵が描かれていてもよい。図３に示すパネル２の面が裏面となって、外装ケース１に収容される。パネル２の左右方向中央部分には、図３に示すように支持部糊代２１を備える。この支持部糊代２１が、支持部１１Ａの中央部３１Ａ（図４参照）に接合される。
【００１４】
次に、パネル２と支持部１１Ａとの使用例について説明する。図４は、本実施形態に係る支持部１１Ａの組み立て状態を示す図である。
図４（ａ）に示すように、パネル２の裏面に支持部１１Ａが接合されている。まず、側面部３１Ｂを折れ線３２に沿って矢印Ｄ方向に持ち上げ、さらにフラップ３６を折れ線３４に沿ってＥ方向に引き上げる。
次に、図４（ｂ）に示すように、フラップ３６のスリット３３を側面部３１Ｂに引っ掛けて、フラップ３６を固定させた支持部１１Ａにより、パネル２を直立させる。
【００１５】
このように、パネル２を内部に収容する外装ケース１の支持部１１Ａが、パネル２の一部を構成するので、パネル２を、外装ケース１の一部を用いて構成することができる。よって、パネル２を運搬するのみならず、支持部１１Ａとして使用する収容ケース１００を提供することができる。
また、外装ケース１を用いて支持部１１Ａを構成し、パネル２は、外装ケース１の中に収容されるので、パネル２を汚すことがない。また、支持部１１Ａは、パネル２をパネル２の裏面で支持するので、表面から見えない部分で用いることができ、外装ケース１を有効活用することができる。
さらに、支持部１１Ａを、切れ目線３５により底面部１１から容易に取り外すことができる。
【００１６】
以上、本発明の実施形態について説明したが、本発明は前述した実施形態に限定されるものではない。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００１７】
（変形形態）
以上、説明した実施形態に限定されることなく、種々の変形や変更が可能であって、それらも本発明の範囲内である。
本実施形態では、外装ケース及びパネルを段ボール及び厚紙によるものとして説明したが、これらに限らない。例えば、外装ケース及びパネルは、プラスチックでできていてもよい。その場合でも、段ボールと同様に実現することができる。
本実施形態では、収容物をパネルとして説明したが、パネルの形はどのようなものであってもよい。また、パネルに限らずＰＯＰ（ｐｏｉｎｔ−ｏｆ−ｐｕｒｃｈａｓｅ：購買時点）広告等の様々なものに本発明を用いることができる。
本実施形態では、外装ケースの一部である支持部について説明したが、支持部の形状は、例えば、Ｖの字状にする等、どのような形状であってもよい。
【図面の簡単な説明】
【００１８】
【図１】本実施形態に係る収容ケースからパネルを取り外す状態を説明する図である。
【図２】本実施形態に係る外装ケースの展開を示す図である。
【図３】本実施形態に係るパネルを示す図である。
【図４】本実施形態に係る支持部の組み立て状態を示す図である。
【符号の説明】
【００１９】
１      外装ケース
２      パネル
１１    底面部
１１Ａ  支持部
２１    支持部糊代
３５    切れ目線
１００  収容ケース
【図１】
0005157414.tif 000002
【図２】
0005157414.tif 000003
【図３】
0005157414.tif 000004
【図４】
0005157414.tif 000005